【事件の表示】
　特願２００１−３２６５２２「液晶表示装置および電子機器」拒絶査定不服審判事件〔平成１５年　５月　８日出願公開、特開２００３−１３１２２０〕について、次のとおり審決する。
【結　論】
　本件審判の請求は、成り立たない。
【理　由】
１．手続の経緯
　本願は、平成１３年１０月２４日の出願であって、平成１７年４月７日付で拒絶査定がなされ、これに対し、同年５月１２日に拒絶査定不服審判請求がなされるとともに、同年６月９日に手続補正がなされたものである。
　
２．平成１７年６月９日付の手続補正についての補正却下の決定
[補正却下の決定の結論]
　平成１７年６月９日付の手続補正（以下、「本件補正」という。）を却下する。
[理由]
　本件補正は、補正前の特許請求の範囲の請求項７のうち補正前の請求項１を引用する部分を下記のように新たな請求項１とした上で、当該新たな請求項１を引用する新たな請求項７を下記のように実質的に追加することを含むものである。
「【請求項１】互いに対向してシール材によって貼り合わされた上基板と下基板との間に液晶層が挟持され、前記下基板の内面側に第１の導電部が設けられ、前記上基板の内面側に第２の導電部が設けられるとともに、前記下基板と前記第１の導電部との間に、所定の回転方向を持つ円偏光又は楕円偏光のうちの一部を反射させるコレステリック液晶層が設けられ、前記液晶層に対して前記上基板側から円偏光又は楕円偏光を入射させる手段と前記下基板側から円偏光又は楕円偏光を入射させる手段とを備えるとともに、前記液晶層は入射された前記円偏光又は楕円偏光の回転方向を反転させることが可能な液晶表示装置であって、
　前記上基板の内面側のシール材の外側に電子部品が実装され、該電子部品は前記第２の導電部と電気的に接続されるとともに前記第１の導電部とは基板間導通部を介して電気的に接続されてなり、前記コレステリック液晶層と前記電子部品は重ならない位置に配置され、かつ、相対する基板の内面側に設けられ、前記コレステリック液晶層と前記第１の導電部との間に、異なる色の顔料を含む複数の色素層を有する
カラーフィルタ層
　
「【請求項７】前記反射層又は半透過反射層と、前記第１の導電部との間に、異なる色の顔料を含む複数の色素層を有する
カラーフィルタ層
　
　本件補正によって、上記新たな請求項７に記載された「カラーフィルタ層」（上記下線部参照）と、当該請求項７が引用する新たな請求項１に記載された「カラーフィルタ層」との関係が不明瞭となった。
　よって、本件補正が平成１８年改正前特許法第１７条の２第４項各号のいずれをも目的とするものではないことは明らかである。
　したがって、本件補正は同法第１５９条第１項において読み替えて準用する同法第５３条第１項の規定により却下すべきものである。
　
３．本願発明について
（１）本願発明
　平成１７年６月９日付の手続補正は上記のとおり却下されたので、本願の請求項に係る発明は、同年３月２２日付け手続補正により補正された明細書の特許請求の範囲の請求項１〜１０に記載されたとおりのものと認められるところ、その請求項１に係る発明（以下、「本願発明」という。）は、次のとおりのものである。
「【請求項１】互いに対向してシール材によって貼り合わされた上基板と下基板との間に液晶層が挟持され、前記下基板の内面側に第１の導電部が設けられ、前記上基板の内面側に第２の導電部が設けられるとともに、前記下基板と前記第１の導電部との間に、所定の回転方向を持つ楕円偏光のうちの一部を反射させるコレステリック液晶層が設けられ、前記液晶層に対して前記上基板側から円偏光又は楕円偏光を入射させる手段と前記下基板側から円偏光又は楕円偏光を入射させる手段とを備えるとともに、前記液晶層は入射された前記円偏光又は楕円偏光の回転方向を反転させることが可能な液晶表示装置であって、
　前記上基板の内面側のシール材の外側に電子部品が実装され、該電子部品は前記第２の導電部と電気的に接続されるとともに前記第１の導電部とは基板間導通部を介して電気的に接続されてなり、前記コレステリック液晶層と前記電子部品は重ならない位置に配置され、かつ、相対する基板の内面側に設けられていることを特徴とする液晶表示装置。」
　
（２）引用例記載の発明
　原査定の拒絶の理由に引用された特開２０００−１７１７８９号公報（以下、「引用例１」という。）には、図面とともに次の事項が記載されている。
　
ａ．「【００２８】
【発明の実施の形態】図１は、本発明の一実施例における表示素子１０の構成を示す。表示素子の観察側には、偏光板１１が配置され、その下層には、λ／４波長板１２が配置されている。そしてλ／４波長板１２の下層には、２枚のガラス基板１３、１４によって挟持された垂直配向型液晶層１５を有する液晶素子が配置されている。
【００２９】そして下側のガラス基板１４と電極層１７との間には、コレステリック液晶をポリマー化したフィルム１８が被着形成されている。」
　
ｂ．「【００３０】再び図１を参照して、本実施の形態の表示素子１０の動作を説明する。図１ａは、垂直配向型液晶層１５に電源２０から電圧が印加されたオン状態、正確には液晶のスレッショルドレベル以上の電圧印加状態（Ｖｏｎ時）を示す。この場合、ネマティック液晶分子は上側基板から下側基板に向けて基板に垂直な方向に配列するホモジニアス配向となる。
【００３１】この状態において、図上方の観察側から入射してくる光Ｌｆは、偏光板１１および固定リターダー層であるλ／４位相差板１２を介して、右回りの円偏光として可変リターダー層である垂直配向型液晶層（ＶＡ層）１５に入射する。そしてこの層１５で位相がλ／２遅延されることにより、左回りの円偏光に変換されて偏光反射層であるコレステリック液晶層１８に到達する。従って上述したとおり到達した左回りの円偏光はコレステリック液晶層１８により全反射され、再びＶＡ層１５により位相がλ／２遅延されることにより、右回りの円偏光に変換されて出力される。この光が再びλ／４位相差板１２を通過することにより、偏光板１１の偏光軸に沿った直線偏光となり、偏光板１１を通過して出力され、明状態の表示が得られる。
【００３２】図１（ｂ）は、垂直配向型液晶層１５にしきい値以下の電圧が印加されたオフ状態（零電圧を含む）（Ｖｏｆｆ時）を示す。この場合、液晶層は液晶分子が基板に垂直に配列し、入射光を位相変調しない状態となる。
【００３３】この状態において、図上方から入射してくる光Ｌｆは、図１ａの場合と同様に、偏光板１１およびλ／４位相差板１２を介して、右回りの円偏光として液晶層１５に入射するが、同層１５では位相変調されず、右回りの円偏光のままコレステリック液晶層１８に到達する。この右回りの円偏光は、表示素子の背面に向けて透過していき、位相差板２５で偏光板２６の吸収軸に沿った振動成分をもつ直線偏光に変換される。その結果、観察面には光は戻らず、暗状態の表示が得られる。
【００３４】次にコレステリック液晶層１８の背面に面光源２１を配置した場合の動作について説明する。面光源２１は、アクリル平板などにより形成される導光板２２と、その側面に配置された線状光源２３、および導光板の背面に配置された拡散反射層２４により構成される。
【００３５】図１ａの状態即ちＶｏｎ時には、面光源から出力される光Ｌｂは偏光板２６および位相差板２５により左回り円偏光となりそのうち所定の割合の光（約１０％）がコレステリック液晶層１８を通過し、残りの光は反射される。そしてコレステリック液晶層１８を通過した光は、ＶＡ層１５によって位相変調され、右回りの円偏光に変換される。そしてこの光がλ／４位相差板１２を通過することにより、偏光板１１の偏光軸に沿った直線偏光となり、偏光板１１を通過して出力され、明状態の表示が得られる。
【００３６】一方図１ｂの状態即ちＶｏｆｆ時には、コレステリック液晶層１８を通過した偏光板側からみて左回りの円偏光は、ＶＡ層１５による位相変調を受けず、そのまま出力される。そしてこの光がλ／４位相差板１２を通過することにより、偏光板５の偏光軸と直交する振動方向を有する直線偏光となり、偏光板１１により吸収されて、暗状態の表示が得られる。」
　
ｃ．「【００５１】図３は、本発明の第２の実施例の半透過型液晶表示装置として構成されたＴＦＴアクティブマトリクス型液晶表示装置である。図４はその主たる構成部分、図５はアレイ基板のＴＦＴ素子構造を示す。同図は図４のＴＦＴ素子構造を説明するため、図４に対して上下反転して示してある。  ＴＦＴアレイ基板１３は、ガラス等からなる絶縁基板からなり、図はＴＦＴアレイ基板１３を観察側に配置し、対向基板１４を背面光源側に配置したカラーフィルターを有する垂直配向ネマティック型の素子を示す。画面表示領域に多数の画素電極３０をマトリスク状に配置し、各画素電極３０に駆動スイッチング素子として薄膜トランジスタ（ＴＦＴ）３１が設けられる。これらの画素電極間に信号線３２、ゲート電極３３を含む走査線３４、さらに必要に応じて補助容量電極（図示しない）が設けられる。・・・中略・・・
【００５３】また、画素部の全面にはカラーフィルタ３９が配置されている。カラーフィルタには１０μｍ角程度のコンタクトホール４０が設けられている。カラーフィルタ３９の上には例えばＩＴＯからなる透明画素電極３０が各画素毎に形成されている。透明画素電極３０はカラーフィルタ３９に設けられたコンタクホール４０を介してＴＦＴのソース電極４１に電気的に接続されている。・・・中略・・・
【００５４】透明画素電極３０の境界部には信号線３２、走査線３４、補助容量線の何れかの配線電極が配置されて、背面光源による半透過型液晶表示装置の透過光使用時に、背面光源の光が漏れてコントラスト比を低下させることが無い。このアレイの上にさらに、図示しない配向膜が所定の配向軸を備え積層されている。
【００５５】ー方、対向基板１４には、偏光反射層１８が所定形状に形成されている。ここで、偏光反射層１８としては、コレステリック液晶をポリマー化したフィルムを被着形成した。偏光反射層１８はさらに、対向電極１７として例えばＩＴＯの透明導電膜が所定形状に積層されている。ＩＴＯは通常のマスクスパッタの手段により成膜とパタ−ニングを同時に行うのが好ましい。これによりＩＴＯ形成時のコレステリック液晶層へのプロセス負荷は極めて小さい。
【００５６】さらに、図示しない配向膜が配向処理して積層されている。配向は液晶分子が基板に垂直に配向される方向となっている。
【００５７】これらのＴＦＴアレイ基板１３と対向基板１４とが対向して液晶セルを構成しており、両基板の周縁部（シール部）４２は接着剤（シール材）４３によって貼り合わされ、液晶セルにはＶＡ液晶１５が封入されている。・・・中略・・・
【００５９】以上のように構成された本実施例の液晶表示装置は、接続された外部回路によって駆動され、周囲に適当な光源がある明所では周囲光を液晶表示装置に入射させ、その反射光で表示を行う反射型液晶表示装置として用いることができる。」
　
　上記ａ〜ｃによれば、引用例１には、次の発明が記載されていると認められる。（以下、「引用発明」という。）
「互いに対向してシール材によって貼り合わされたガラス基板１３とガラス基板１４との間にＶＡ液晶層が封入され、前記ガラス基板１４の内面側に透明電極層１７が設けられ、前記ガラス基板１３の内面側に透明電極層１６が設けられるとともに、前記ガラス基板１４と前記透明電極層１７との間に、左回りの円偏光のうちの所定の割合の光を通過し、残りの光を反射させるコレステリック液晶層が設けられ、前記ＶＡ液晶層に対して前記ガラス基板１３側から右回りの円偏光を入射させる、偏光板１１及びλ／４位相差板１２と、前記ＶＡ液晶層に対して前記ガラス基板１４側から左回りの円偏光を入射させる、偏光板２６及びλ／４位相差板２５とを備えるとともに、前記ＶＡ液晶層は入射された前記右回りの円偏光を左回りの円偏光に変換する表示素子を用いた液晶表示装置であって、
　前記液晶表示装置の駆動を接続された外部回路によって行う液晶表示装置。」
　
（３）対比
　そこで、本願発明と引用発明とを以下に対比する。
ア．引用発明の「ガラス基板１３」、「ガラス基板１４」、「ＶＡ液晶層」、「透明電極層１７」、「透明電極層１６」、「ＶＡ液晶層に対して前記ガラス基板１３側から右回りの円偏光を入射させる、偏光板１１及びλ／４位相差板１２」、「ＶＡ液晶層に対して前記ガラス基板１４側から左回りの円偏光を入射させる、偏光板２６及びλ／４位相差板２５」及び「液晶表示装置」は、それぞれ本願発明の「上基板」、「下基板」、「液晶層」、「第１の導電部」、「第２の導電部」、「液晶層に対して前記上基板側から円偏光又は楕円偏光を入射させる手段」、「下基板側から円偏光又は楕円偏光を入射させる手段」及び「液晶表示装置」に相当する。
　
イ．引用発明の「左回りの円偏光のうちの所定の割合の光を通過し、残りの光を反射させるコレステリック液晶層」は、「ガラス基板１４と前記透明電極層１７との間」に「設けられ」ているのであるから、引用発明が、本願発明の「下基板と前記第１の導電部との間に、所定の回転方向を持つ円偏光又は楕円偏光のうちの一部を反射させるコレステリック液晶層が設けられ」ているという事項を備えていることは明らかである。
　
ウ．引用発明の「ＶＡ液晶層」は「入射された右回りの円偏光を左回りの円偏光に変換する」機能を有しているのであるから、本願発明の「液晶層は入射された前記円偏光又は楕円偏光の回転方向を反転させることが可能」であるとの事項を備えている。
　
エ．本願発明の「電子部品」は、本願明細書の発明の詳細な説明（段落【００２０】参照）によれば駆動用ＩＣ等を意味していると解されるから、引用発明の「外部回路」と、本願発明の「電子部品」とは、液晶表示装置の駆動用回路である点で一致している。
　
　したがって、両者は、
「互いに対向してシール材によって貼り合わされた上基板と下基板との間に液晶層が挟持され、前記下基板の内面側に第１の導電部が設けられ、前記上基板の内面側に第２の導電部が設けられるとともに、前記下基板と前記第１の導電部との間に、所定の回転方向を持つ円偏光又は楕円偏光のうちの一部を反射させるコレステリック液晶層が設けられ、前記液晶層に対して前記上基板側から円偏光又は楕円偏光を入射させる手段と前記下基板側から円偏光又は楕円偏光を入射させる手段とを備えるとともに、前記液晶層は入射された前記円偏光又は楕円偏光の回転方向を反転させることが可能な液晶表示装置において、
　前記液晶表示装置は駆動用回路を有する液晶表示装置。」である点で一致し、次の点で相違している。
　
[相違点]
　本願発明では、駆動用回路が電子部品からなり、当該電子部品が上基板の内面側のシール材の外側に実装され、前記第２の導電部と電気的に接続されるとともに前記第１の導電部とは基板間導通部を介して電気的に接続され、前記コレステリック液晶層と前記電子部品は重ならない位置に配置され、かつ、相対する基板の内面側に設けられているのに対し、引用発明では、駆動用回路が液晶表示装置に対してどのように接続・配置されているのか明らかでない点
　
（４）判断
　上記相違点について検討する。
（ａ）液晶表示装置において、片側の基板の内面側のシール材の外側であって、通常カラーフィルタ等が配置される領域である表示領域、と重ならない領域に引出し電極を配置し、当該引出し電極と駆動用の電子部品を前記シール材の外側で接続するとともに、当該引出し電極と上下基板に設けられた電極（本願発明の「導電部」に相当）との電気的導通をトランスファ構造（本願発明の「基板間導通部」に相当）を介して行うことによって駆動用の電子部品の実装工程を容易にすることは周知技術である（例えば、実願平０４−５１３１０号（実開平０６−８９３６号）のマイクロフィルム、特開平５−２８９０９６号公報、実願平０５−２２３１７号（実開平０６−８２６２９号）のマイクロフィルム、及び特開２００１−２１９０９号公報等参照）。
　
（ｂ）さらに、上記（ａ）で提示した４つの文献に加え、特開２００１−８３５４１号公報、及び実願平０３−１０６７７４号（実開平５−４７９２５号）のマイクロフィルム（段落【０００２】〜【０００５】）等の記載事項から明らかなように、駆動用回路の実装位置や端子部の形成位置を上下いずれの基板の内面側とするかは、当該液晶表示装置の事情に応じて当業者が適宜選択しているのが実情である。
　
（ｃ）上記（ａ）（ｂ）によれば、引用発明において、駆動用回路の実装工程を容易にするために、駆動用の電子部品の実装位置を、上側基板の内面側であってシール材の外側、すなわち、通常カラーフィルタ等が配置される表示領域と重ならない領域であって、相対する基板の内面側とし、上下基板にそれぞれ設けられた導通部への電気的接続を上記周知の基板間導電部を介して行うという上記相違点に係る構成に想到することは当業者にとって格別困難なことではない。
　
（ｄ）そして、上記相違点に係る構成を採用したことによる効果は当業者が予測し得る程度のものに過ぎない。
　
（５）むすび
　以上のとおり、本願発明は、引用例１に記載された発明及び上記周知技術に基づいて当業者が容易に発明をすることができたものであるから、特許法第２９条第２項の規定により特許を受けることができない。
　　よって、結論のとおり審決する。